(57)【特許請求の範囲】
【請求項１】
内溶液である薬剤を噴射すべく上端部に弁機構（５）  およびノズル（６）  を有する容器本体（１）  と、該容器本体（１）  のノズル（６）  上端面に下端面が係止する組付き突条（７）  を有する下部が前記ノズル（６）  に組付くと共に、該下部に前記ノズル（６）  から噴射される前記薬剤が通過する第一通路（８）  を形成し、上部に開口凹部（９）  を形成した硬質合成樹脂製の組付き部材（２）  と、該組付き部材（２）  の開口凹部（９）  に、下端を前記組付き部材（２）  に突き当たり可能に嵌入する棒片（１０）と、該棒片（１０）の上端部に一体設され先端外周面が球弧面である球弧片（１１）と、該球弧片（１１）に一体設され、前記球弧片（１１）を露出させた状態で、前記組付き部材（２）  に強固に組付く取付け片（１２）とで構成される軟質合成樹脂製の滑動部材（３）  と、前記容器本体（１）  の上端部に組付き、前記組付き部材（２）  の上下動をガイドすべく、該組付き部材（２）  の外周面に近接するガイド面（１３）を有するガイド部材（４）  と、から構成され、前記滑動部材（３）  の球弧片（１１）の周端部と前記取付け片（１２）との間に、前記滑動部材（３）  と組付き部材（２）  との間に形成される第二通路（１４）に連通する複数の噴射口（１５）を穿設して成る薬剤噴射容器。
【請求項２】
滑動部材（３）  の棒片（１０）の下端面を、組付き部材（２）  の組付き突条（７）  の上端面に当接させると共に、第一通路（８）  と第二通路（１４）とを連通すべく、前記棒片（１０）の下端面に底溝（１６）を形成して成る請求項１記載の薬剤噴射容器。
【請求項３】
組付き部材（２）  の開口凹部（９）  に面する中間部分に受け段部（１７）を突設し、滑動部材（３）  の棒片（１０）に、下面が前記組付き部材（２）  の受け段部（１７）上面に僅かな間隙をあけて対向位置する当接段部（１８）を突設すると共に、前記棒片（１０）下端面と前記組付き部材（２）  の組付き突条（７）  上端面との間に僅かな間隙を形成して、前記滑動部材（３）  の球弧片（１１）と棒片（１０）との一体物を弾性的に上下動自在とし、前記受け段部（１７）と前記当接段部（１８）が当接し、前記棒片（１０）下端面と前記組付き突条（７）  上端面が当接した状態で、第一通路（８）  と第二通路（１４）全体を連通すべく、前記棒片（１０）下端面と前記当接段部（１８）下端面とにそれぞれ底溝（１６）を形成して成る請求項１記載の薬剤噴射容器。
【発明の詳細な説明】
【０００１】
【産業上の利用分野】
本発明は、毛髪育毛剤等の薬剤（あるいは化粧剤）を、頭皮に直接噴射すると共にマッサージ効果を発揮する薬剤噴射容器に関するものである。
【０００２】
【従来の技術】
従来、薬剤を頭皮に直接噴射すると同時にマッサージ効果を発揮する噴射容器として、例えば、実公平５−３２２１９号や実開平２−６３３６０号公報に開示のものがある。
【０００３】
実公平５−３２２１９号公報に開示の噴射容器は、頭皮に直接接触する先端部が球弧状の滑動部材（押し部材）を有し、その下端部を容器本体のノズルに嵌合して、滑動部材と容器本体との組付けを達成している。又、この噴射容器においては、滑動部材の先端部の中心に薬剤が噴射する噴出口を設けている。
【０００４】
実開平２−６３３６０号公報に開示の薬剤噴射容器は一定量の薬剤を供給するもので、頭皮に直接接触する部分を回動自在なボールで構成し、筒体内に抜け出し不能に組付けている。又、このボールは、通常、スプリングの弾力によって筒体内の先端部に密接して薬剤の噴射口（当該ボールと筒体内先端部との間に形成される空隙）を密閉状態に維持し、頭皮に押し付けられた際にその押圧力によって後退し、その噴射口を開口し一定量の薬剤を頭皮に供給するものである。
【０００５】
すなわち、この薬剤噴射容器にあっては、薬剤を頭皮に供給する場合には押圧力によってボールと筒体内先端部との間で形成される噴射口が開口し、押圧力が解除あるいは弱められた際にその噴射口が密閉されるものである。
【０００６】
【発明が解決しようとする課題】
しかし、実公平５−３２２１９号公報に開示の噴射容器においては、滑動部材と容器本体との組付き力が不十分であるという問題がある。この滑動部材はその先端部を頭皮に直接接触させる部分であるため、軟質の合成樹脂材で成形されると考えられるが、かかる場合、当該滑動部材が軟質であるがゆえ、当然の結果としてノズルとの組付き力が不足してしまい、特に、使用回数が多くなるにつれて滑動部材の安定性が低下して使用感が悪くなるという問題がある。
【０００７】
また、この従来技術においては、薬剤の噴射口が滑動部材の先端部に形成されているため薬剤が噴射され難いという問題を併せ持つ。すなわち、薬剤の噴射は滑動部材の先端部を頭皮に押し付け、ノズルを後退させることによって達成するものであるが、この噴射容器にあっては、噴射口が滑動部材の先端部に形成されているため、薬剤噴射の際、当該噴射口が頭皮によって塞がれた状態となるからである。
【０００８】
実開平２−６３３６０号公報に開示の薬剤噴射容器においては、使用中にボールと筒体内先端部との間で形成される噴射口に毛髪が侵入し、ボールの頭皮表面での滑動の円滑さが低下する場合がある。
【０００９】
この薬剤噴射容器は、ボールを頭皮に押圧しながら、ボールの周囲に開口形成された噴射口から薬剤を頭皮に噴射塗布すると共に、ボールを頭皮表面で滑動させてマッサージ効果を得るものとなっているのであるが、滑動するボールの回動に導かれて毛髪がこのボールの周面に位置する噴射口に侵入し易い状態となり、噴出口に侵入した毛髪の抵抗により、ボールの滑動の円滑さが低下することになるのである。
【００１０】
本発明はこうした問題を解決するために創案されたもので、滑動部材と容器本体との組付きを強固に達成すると共に、薬剤の噴射を円滑に達成し、さらに使用時にボール等と筒体先端部との間に形成される薬剤噴射口の開閉動作をなくすことを技術的課題とし、使用感の向上を図ると共に毛髪が噴射口に噛み込むことのない薬剤噴射容器を提供することを目的とする。
【００１１】
【課題を解決するための手段】
本願発明は、容器本体、組付き部材、滑動部材およびガイド部材で構成した。容器本体は、内溶液である薬剤を噴射すべく上端部に弁機構及びノズルを有する。
【００１２】
組付き部材は硬質合成樹脂製で、容器本体のノズル上端面に下端面が係止する組付き突条を有する下部がノズルに組付くと共に、その下部にノズルから噴射される薬剤が通過する第一通路を形成し、上部に開口凹部を形成して構成した。
【００１３】
滑動部材は、軟質合成樹脂製で、組付き部材の開口凹部に、下端を組付き部材に突き当たり可能に嵌入する棒片と、その棒片の上端部に一体設され先端外周面が球弧面である球弧片と、球弧片に一体設され、球弧片を露出させた状態で、組付き部材に強固に組付く取付け片とで構成した。
【００１４】
ガイド部材は、容器本体の上端部に組付き、組付き部材の上下動をガイドすべく、組付き部材の外周面に近接するガイド面を有するものである。
【００１５】
そして、滑動部材の球弧片の周端部と取付け片との間に、滑動部材と組付き部材との間で形成される第二通路に連通する複数の噴射口を穿設した。
【００１６】
なお、滑動部材の棒片の下端面を、組付き部材の組付き突条の上端面に当接させると共に、第一通路と第二通路とを連通すべく、棒片の下端面に底溝を形成すると良い。
【００１７】
また、組付き部材の開口凹部に面する中間部分に受け段部を突設し、滑動部材の棒片に、下面が組付き部材の受け段部上面に僅かな間隙をあけて対向位置する当接段部を突設すると共に、棒片下端面と組付き突条上端面との間に僅かな間隙を形成して、滑動部材の球弧片と棒片との一体物を弾性上下動自在とし、さらに受け段部と当接段部が当接すると共に、棒片下端面と組付き突条上端面が当接した状態で、第一通路と第二通路全体を連通すべく、棒片下端面と当接段部下端面とにそれぞれ底溝を形成することもできる。
【００１８】
【作用】
容器本体を把持して滑動部材の球弧片を頭皮に押し当てると、その押圧力によって滑動部材とそれに強固に組付いている組付き部材とが押し下げられてノズルを押圧し、弁機構の弁を開放する。これにより、薬剤がノズルから噴射されて第一通路および第二通路を通過して噴射口から頭皮に噴射される。
【００１９】
薬剤噴射後は、滑動部材の球弧片を頭皮上で滑動させて薬剤の擦り込みおよびマッサージを行う。球弧片の外周面は球弧面となっているので、頭皮上を円滑に滑り、薬剤の擦り込み効果とマッサージ効果を有効に発揮する。
【００２０】
この際、頭皮に直接接触する球弧片を有する滑動部材は、軟質合成樹脂材で形成しているので、いわゆる頭皮への当たりが柔らかく、よって頭皮を傷めることがない。
【００２１】
また、この滑動部材は、組付き部材を介して容器本体に組付いているので、その組付きは強固なものとなる。すなわち、容器本体のノズルに組付いている組付き部材は硬質合成樹脂製であるため、ノズルとの組付きは強固に達成され、滑動部材はその取付け片が、この組付き部材に強固に組付けされているので、従来のように軟質合成樹脂製の滑動部材が直接ノズルに組付く場合と比較して、その組付きが強固なものとなる。
【００２２】
又、噴射口は、常に開口された状態にあるので、毛髪を噛み込むといった問題は発生しない。又、この噴射口は、球弧片の周端部に形成されているので、例えば、球弧片の頂上部に形成した場合と比較して、薬剤を頭皮に邪魔されることなく円滑に噴射させることができる。
【００２３】
なお、滑動部材の棒片下端面を、組付き部材の組付き突条上端面に当接させる構成にあっては、滑動部材の球弧片を頭皮に押し付けた際の反力によって棒片の下端面が組付き突条の上端面を押圧してノズルを後退させて容器本体内の薬剤を噴射させるが、棒片下端面に底溝を形成しているので、薬剤は第一通路、底溝、第二通路および噴射口を通って円滑に頭皮に達することができる。
【００２４】
又、滑動部材の球弧片と棒片との一体物を弾性上下動自在としている容器の作用は次の通りである。使用に際し、滑動部材の球弧片が頭皮に押し付けられると、弾性上下動自在の滑動部材が押し下げられ、棒片の下端および当接段部が、それぞれ組付き部材の組付き突条および受け段部に当接する。球弧片にさらに押圧力が加わると、棒片の下端と当接段部によって組付き部材が押し下げられ、ノズルを押圧して弁機構の弁を開放し、薬剤をノズルから噴射する。
【００２５】
噴射された薬剤は、第一通路、棒片下端の底溝および第二通路（当接段部の底溝を含む）を通過して噴射口から噴射され、頭皮に供給される。供給後、球弧片を頭皮上に滑動させることによって薬剤の擦り込みとマッサージを行う。
【００２６】
この噴射容器の特徴は、滑動部材と組付き部材との係止部分に僅かな間隙を設け、滑動部材を弾性上下動自在に設定したことである。これにより、滑動部材の上下動に大きな幅を持たせることができ、不意の押圧力によって弁が開放され、薬剤が不必要に噴射されることがない。
【００２７】
本発明において、滑動部材は単独で弾性上下動するものの、噴射口は常に開口した状態にあるので、噴射口に毛髪を噛み込むといった問題は本発明においても発生しない。又、球弧片の外周面は軟質合成樹脂製の球弧面であるので、頭皮上を円滑に滑動し、薬剤の擦り込みとマッサージ効果は有効に達成される。
【００２８】
【実施例】
本願発明の一実施例を、図１〜３に示す。
容器本体１は、その上端部に弁機構５とノズル６を有し、ノズル６を押圧して後退させることによって弁機構５の弁が開放する構成の、いわゆるエアゾール容器である。
【００２９】
組付き部材２は、硬質合成樹脂材で成形している。これによって、容器本体１のノズル６との組付きを、軟質合成樹脂材で成形した場合と比較して、強固なものとしている。
【００３０】
又、この組付き部材２は、その下端部の筒体内に組付き突条７を周設し、その下面をノズル６の上端面に係止させると共に筒体をノズル６上部に嵌合させることによって、ノズル６への組付きを達成している。第一通路８は、組付き突条７で囲まれる部分に形成される。
【００３１】
滑動部材３は、軟質合成樹脂製としている。こうすることによって、頭皮１９への当たりを柔らかくすることができ、頭皮１９を不当に傷めることがない。
【００３２】
又、この滑動部材３は、略半球弧状の球弧片１１と、その中央部から垂下設した棒片１０と、球弧片１１の周端部から垂下設した取付け片１２とで構成し、この取付け片１２を組付き部材２に抜け出し不能かつ強固に嵌入組付けすることによって、滑動部材３を開口凹部９に挿入した状態で組付き部材２と強固に組付けている。
【００３３】
容器本体１のノズル６と組付き部材２の組付き、および組付き部材２と滑動部材３との組付きが、それぞれ強固に達成されるため、滑動部材３と容器本体１との組付きも強固に達成され、滑動部材３がぐらつくといった事態も発生せず、長期にわたって心地良い使用感を持続させることができる。
【００３４】
本実施例においては、棒片１０と組付き部材２との間の空間を第二通路１４とすると共に、棒片１０の下端部に底溝１６を形成し、第一通路８とこの第二通路１４とを連通している。球弧片１１の周端部には等間隔に四つの噴射口１５を形成し（図３参照）、ここから薬剤を頭皮１９に噴射するものとしている。
【００３５】
なお、棒片１０の下端面に形成した底溝１６、第一通路８、第二通路１４および噴射口１５等の流路面積を所望の大きさに設定することによって、薬剤の噴射量を規制することができる。これによって、薬剤の無駄を省くことができるので経済的である。
【００３６】
ガイド部材４は、硬質合成樹脂製で、容器本体１の上端部に組付けられ、そのガイド面１３によって組付き部材２（と滑動部材３）の上下動を円滑に達成させており、このガイド部材４に、着脱自在のキャップ２０を嵌着している。
【００３７】
本実施例の使用状態を、図２に示す。
滑動部材３の球弧片１１が頭皮１９に押し付けられることによって、その押圧力が棒片１０および組付き突条７を介してノズル６に伝わり、押し下げられたノズル６によって弁機構５の弁が開放される。これにより、薬剤が第一通路８、底溝１６および第二通路１４を通過して四つの噴射口１５から頭皮１９に噴射されるものである。
【００３８】
噴射後は、球弧片１１を頭皮１９上で滑動させることによって、薬剤の擦り込みとマッサージを行う。なお、この球弧片１１はボール３のように回転するものではないが、球弧面としているので頭皮１９上を円滑に滑動することができる。
【００３９】
本願発明の他の実施例を、図４〜６に示す。
容器本体１は、前記実施例同様、いわゆるエアゾール容器で構成している。
【００４０】
組付き部材２は、その筒体の下端部に組付き突条７を内設し、係止と嵌合によりノズル６の上部に組付けし、組付き突条７で囲まれた部分を第一通路８としており、筒体の中間部分に受け段部１７を内設しているが、この組付き部材２は、前記実施例同様、硬質合成樹脂製で、ノズル６との組付きを強固なものとしている。
【００４１】
滑動部材３は弾性に富む軟質合成樹脂製で、球弧片１１と、その中央部から垂下設した棒片１０と、球弧片１１の周端部に設けた取付け片１２とで構成し、当該取付け片１２を組付き部材２に組付けることによって、球弧片１１と棒片１０との一体物を開口凹部９に挿入した形態で、滑動部材３と組付き部材２との組付けを達成している。本実施例における取付け片１２は、短筒と長筒とで構成される二重筒形状とし、両方の筒を組付き部材２に強固に組付けている。
【００４２】
棒片１０の下端面と組付き部材２の組付き突条７上端面、および棒片１０の当接段部１８下面と組付き部材２の受け段部１７上面との間には僅かな間隙を形成しているので、滑動部材３の球弧片１１と棒片１０の一体物は、それ単独で上下方向に弾性変形することができる。これによって、頭皮１９への当たりをより柔軟とし、過剰な衝撃が頭皮１９に加わるのを未然に防止している。
【００４３】
又、棒片１０と組付き部材２の筒体との間を第二通路１４とし、球弧片１１の周端部に等間隔に四つの噴射口１５を穿設している（図６参照）。又、棒片１０の下端面と当接段部１８の下面にそれぞれ底溝１６を形成し、第一通路８と第二通路１４全体の連通を図っている。
【００４４】
なお、本実施例においても、第一通路８、第二通路１４、棒片１０の下端面と当接段部１８に形成した底溝１６等の流路面積を所望の値に設定することによって、薬剤の噴射量を規制することができるので、経済的である。特に、本実施例においては、薬剤が二つの底溝１６を通過するものとしているので、すなわち薬剤の通路面積を二つの底溝１６部分で規制することができるので、薬剤の噴射量をより効果的に規制することができる。
【００４５】
本実施例の使用形態を、図５に示す。
球弧片１１が頭皮１９に押し付けられ、棒片１０が組付き突条７を押圧すると共に当接段部１８が受け段部１７を押圧すると、ノズル６が押し下げられて弁機構５の弁が開放される。これにより、容器本体１から噴射された薬剤は、ノズル６、第一通路８、棒片１０下端の底溝１６、第二通路１４（当接段部１８の底溝１６を含む）を通って噴射口１５から勢いよく頭皮１９に噴射される。この状態で、頭皮１９上に球弧片１１を滑動させることによって、薬剤の擦り込みとマッサージを行う。
【００４６】
なお、本実施例における噴射口１５も、常に開放状態にあるので、使用中に毛髪を噛み込むといった不都合は生じない。又、この球弧片１１も、軟質合成樹脂製で頭皮１９に接触する面が球弧面であるので、円滑に頭皮１９上を移動することができ、過剰な刺激を頭皮１９に加えることはない。
【００４７】
【発明の効果】
滑動部材を軟質合成樹脂製としているので、頭皮に対する当たりが柔らかく、よって頭皮を傷めることがない。
【００４８】
軟質な滑動部材を、硬質合成樹脂製の組付き部材を介して容器本体のノズルに組付けているので、滑動部材と容器本体との組付きが強固なものとなり、常に、心地良い使用感を得ることができる。
【００４９】
噴射口を常に開口状態にしているので、使用中に毛髪を噛み込んで傷めてしまうことがなく、よって薬剤の効き目をより効果的に発揮させることができる。
【００５０】
噴射口を球弧片の周端部に形成したので、薬剤を頭皮に邪魔されることなく円滑に噴射させることができると共に、球弧片によって即座に頭皮に擦り込むことができる。
【００５１】
頭皮に直接接触する部分が球弧面であるため、適度な大きさの面接触となり、心地良いマッサージ効果を与えることができると共に、頭皮上を円滑に動かすことができるので、薬剤の擦り込み、および先のマッサージ効果をより効果的とすることができる。
【００５２】
縦溝、第一通路、底溝等の流路面積を所望の大きさに設定することによって、薬剤の噴射量を規制することができるので、薬剤の無駄を省き、経済的な噴射容器とすることができる。
【図面の簡単な説明】
【図１】本願発明の一実施例を示す正面部分断面図。
【図２】図１に示す実施例の使用状態を示す正面部分断面図。
【図３】図１に示す実施例の平面図。
【図４】本願発明の他の実施例を示す正面部分断面図。
【図５】図４に示す実施例の使用状態を示す正面部分断面図。
【図６】図４に示す実施例の平面図。
【符号の説明】
１  ；  容器本体
２  ；  組付き部材
３  ；  滑動部材
４  ；  ガイド部材
５  ；  弁機構
６  ；  ノズル
７  ；  組付き突条
８  ；  第一通路
９  ；  開口凹部
１０；  棒片
１１；  球弧片
１２；  取付け片
１３；  ガイド面
１４；  第二通路
１５；  噴射口
１６；  底溝
１７；  受け段部
１８；  当接段部
１９；  頭皮
２０；  キャップ
【図１】
0003567244.tif 000002
【図２】
0003567244.tif 000003
【図３】
0003567244.tif 000004
【図４】
0003567244.tif 000005
【図５】
0003567244.tif 000006
【図６】
0003567244.tif 000007